(57)【特許請求の範囲】
【請求項１】
親局装置と複数の子局装置との間で光通信を行う通信システムであって、
上記親局装置が、
第１の波長の送信光信号及び第２の波長の受信光信号を用いて上記複数の子局装置と光通信を行う第１の光通信手段と、
第３の波長の送信光信号及び第４の波長の受信光信号を用いて上記複数の子局装置と光通信を行う第２の光通信手段と
を備え、
上記第２の光通信手段は、上記第１の光通信手段に異常が生じると、上記第１の光通信手段と光通信を行っていた上記子局装置へ上記第３の波長の送信光信号を送信し、
上記第１の光通信手段と光通信を行っていた上記子局装置は、上記第２の光通信手段から上記第３の波長の送信光信号を受信すると、上記第２の波長の受信光信号から上記第４の波長の受信光信号に切り替えて上記第２の光通信手段と光通信を行うものである、
ことを特徴とする通信システム。
【請求項２】
上記第１の光通信手段と光通信を行っていた上記子局装置は、上記親局装置から上記第４の波長の受信光信号を用いるよう指示されることで、上記第４の波長の受信光信号を用いて上記第２の光通信手段と光通信を行うことを特徴とする請求項１に記載の通信システム。
【請求項３】
上記親局装置は、上記第１の光通信手段に異常が生じると、上記第１の光通信手段と光通信を行っていた上記子局装置に対し、上記第４の波長の受信光信号を用いて上記第２の光通信手段と光通信を行うことを指示することを特徴とする請求項１に記載の通信システム。
【請求項４】
複数の子局装置と光通信を行う親局装置であって、
上記親局装置は、
第１の波長の送信光信号及び第２の波長の受信光信号を用いて上記複数の子局装置と光通信を行う第１の光通信手段と、
第３の波長の送信光信号及び第４の波長の受信光信号を用いて上記複数の子局装置と光通信を行う第２の光通信手段と
を備え、
上記第２の光通信手段は、上記第１の光通信手段に異常が生じると、上記第１の光通信手段と光通信を行っていた上記子局装置へ上記第３の波長の送信光信号を送信する、
ことを特徴とする親局装置。
【請求項５】
親局装置と光通信を行う子局装置であって、
上記子局装置は、
上記親局装置から送信される第１の波長の送信光信号及び上記親局装置で受信される第２の波長の受信光信号を用いて光通信を行う光通信手段
を備え、
上記光通信手段は、上記親局装置から第１の波長の送信光信号を受信した後に、上記親局装置から第３の波長の送信光信号を受信すると、上記第２の波長の受信光信号から第４の波長の受信光信号に切り替えて上記親局装置と光通信を行うものである
ことを特徴とする子局装置。
【発明の詳細な説明】
【技術分野】
【０００１】
本発明は、通信システム、親局装置及び子局装置に関し、例えば、ＰＯＮ（Passive  Optical  Network）等の光通信システムにおける冗長システム、親局装置及び子局装置に適用し得るものである。
【背景技術】
【０００２】
従来、ＦＴＴＨ（Fiber  To  The  Home）サービスを安価に提供するために、１本の光ファイバケーブルを複数のユーザで共用するＰＯＮが知られている。ＰＯＮとは、光ファイバケーブルの途中に光カプラ（光合分波器）を設け伝送路を複数本に分岐させる光線路である。
【０００３】
図２は、従来のＮ（Ｎは整数）：１ＰＯＮの冗長システムを説明する説明図である。
【０００４】
図２に示すように、ＯＬＴ（Optical  Line  Terminal）１０は、複数のＰＯＮ＃１〜ＰＯＮ＃Ｎのそれぞれと接続する運用系（０系）インタフェースＯＬＴ  ＩＦ（０）１１−１〜１１−Ｎと、予備系（１系）インタフェースＯＬＴ  ＩＦ（１）１２とを有する。
【０００５】
従来の冗長システムは、Ｎ：Ｎ＋１光マトリックススイッチ４０を介在させ、例えば運用系インタフェースＯＬＴ  ＩＦ（０）１１−１〜１１−Ｎのいずれが故障したときには、Ｎ：Ｎ＋１光マトリックススイッチ４０が、接続先を予備系インタフェースＯＬＴ  ＩＦ（１）１２に切り替えることが行われている（特許文献１参照）。
【０００６】
例えば、図２のＰＯＮ＃１に注目して切替動作を説明すると、運用系インタフェースＯＬＴ  ＩＦ（０）１１−１が故障した場合、Ｎ：Ｎ＋１光マトリックススイッチ４０は、運用系インタフェースＯＬＴ  ＩＦ（０）１１−１に接続してなされる光通信を、予備系インタフェースＯＬＴ  ＩＦ（１）１２に切り替えて光通信を行っている。
【先行技術文献】
【特許文献】
【０００７】
【特許文献１】特開２００８−１３１０８８号公報
【発明の概要】
【発明が解決しようとする課題】
【０００８】
しかしながら、従来のＮ：１ＰＯＮ冗長システムは、冗長構成を組むために、予備系のインタフェースとして予備系インタフェースＯＬＴ  ＩＦ（１）１２を別途追加することが必要であり、更には、Ｎ：Ｎ＋１光マトリックススイッチ４０も追加させることが必要となり、冗長なしの構成と比較した場合に、システムコストが高いという問題が生じ得る。
【０００９】
そのため、冗長システムのシステムコストを低く抑えながら、適切に冗長化を行うことができる通信システム、親局装置及び子局装置が求められている。
【課題を解決するための手段】
【００１０】
かかる課題を解決するために、第１の本発明は、親局装置と複数の子局装置との間で光通信を行う通信システムであって、親局装置が、第１の波長の送信光信号及び第２の波長の受信光信号を用いて複数の子局装置と光通信を行う第１の光通信手段と、第３の波長の送信光信号及び第４の波長の受信光信号を用いて複数の子局装置と光通信を行う第２の光通信手段とを備え、第２の光通信手段は、第１の光通信手段に異常が生じると、第１の光通信手段と光通信を行っていた子局装置へ第３の波長の送信光信号を送信し、第１の光通信手段と光通信を行っていた子局装置は、第２の光通信手段から第３の波長の送信光信号を受信すると、第２の波長の受信光信号から第４の波長の受信光信号に切り替えて第２の光通信手段と光通信を行うものである、ことを特徴とする通信システムである。
【００１１】
第２の本発明は、複数の子局装置と光通信を行う親局装置であって、親局装置は、第１の波長の送信光信号及び第２の波長の受信光信号を用いて複数の子局装置と光通信を行う第１の光通信手段と、第３の波長の送信光信号及び第４の波長の受信光信号を用いて複数の子局装置と光通信を行う第２の光通信手段とを備え、第２の光通信手段は、第１の光通信手段に異常が生じると、第１の光通信手段と光通信を行っていた子局装置へ第３の波長の送信光信号を送信する、ことを特徴とする親局装置である。
【００１２】
第３の本発明は、親局装置と光通信を行う子局装置であって、子局装置は、親局装置から送信される第１の波長の送信光信号及び親局装置で受信される第２の波長の受信光信号を用いて光通信を行う光通信手段を備え、光通信手段は、親局装置から第１の波長の送信光信号を受信した後に、親局装置から第３の波長の送信光信号を受信すると、第２の波長の受信光信号から第４の波長の受信光信号に切り替えて親局装置と光通信を行うものであることを特徴とする子局装置である。
【発明の効果】
【００１３】
本発明によれば、冗長システムのシステムコストを低く抑えながら、適切に冗長化を行うことができる。
【図面の簡単な説明】
【００１４】
【図１】実施形態の光通信システムの構成を示す構成図である。
【図２】従来のＮ：１ＰＯＮの冗長システムを説明する説明図である。
【図３】実施形態に係る予備系のＯＬＴ  ＩＦ（１）の内部構成を示す内部構成図である。
【発明を実施するための形態】
【００１５】
（Ａ）主たる実施形態
以下では、本発明の通信システム、親局装置及び子局装置の実施形態を、図面を参照しながら詳細に説明する。
【００１６】
（Ａ−１）実施形態の構成
図１は、この実施形態の光通信システムの構成を示す構成図である。
【００１７】
図１において、光通信システム１は、親局装置としてのＯＬＴ１００、子局装置としての複数台のＯＮＵ２００、光カプラ３００を有して構成される。また、図１において、ＰＯＮ＃１〜ＰＯＮ＃Ｎは、光ファイバと光カプラ３００からなる光線路網である。
【００１８】
ＯＬＴ１００は、例えば通信事業者の局舎に設置される局側終端装置である。ＯＬＴ１００は、例えばインターネット等に代表される広域通信網と、ＯＮＵ２００との間の光信号の送受信制御を担う。
【００１９】
ＯＬＴ１００は、加入者線インタフェースとしてＯＬＴ  ＩＦ（０）１１０−１〜ＯＬＴ  ＩＦ（０）１１０−Ｎ及びＯＬＴ  ＩＦ（１）１２０と、切替制御部１３０とを備えるものである。
【００２０】
ここで、ＯＬＴ１００は、通常時の運用系インタフェースとして、Ｎ（Ｎは整数）個のＯＬＴ  ＩＦ（０）１１０−１〜ＯＬＴ  ＩＦ（０）１１０−Ｎを有する。また、ＯＬＴ１００は、障害が発生した場合に予備系として機能する予備系インタフェースとして、１個のＯＬＴ  ＩＦ（１）１２０を有する。
【００２１】
ＯＬＴ  ＩＦ（０）１１０−１〜１１０−Ｎ及びＯＬＴ  ＩＦ（１）１２０は、例えばインタフェースカード等であり、それぞれＯＬＴ１００に対して着脱可能に設けられている。
【００２２】
なお、加入者線インタフェースとして光通信を行うＯＬＴ  ＩＦ（０）１１０−１〜１１０−Ｎ及びＯＬＴ  ＩＦ（１）１２０を、「光通信装置」ともいう。
【００２３】
ＯＬＴ  ＩＦ（０）１１０−１〜１１０−Ｎは、それぞれＰＯＮ＃１〜ＰＯＮ＃Ｎを構成する光ファイバと接続しており、光カプラ３００を介して、複数のＯＮＵ２００と接続している。
【００２４】
ここで、光カプラ３００は、２：Ｍ分岐スプリッタを適用することができる。すなわち、ＯＬＴ  ＩＦ（０）１１０−１〜１１０−Ｎはそれぞれ、最大でＭ台のＯＮＵ２００と接続可能である。そのため、１台のＯＬＴ１００に対してＮ×Ｍ台のＯＮＵ２００が収容可能である。
【００２５】
ＯＬＴ  ＩＦ（０）１１０−１〜１１０−Ｎは、図１に示すように、光波長合分波部（ＷＤＭ）１１１、光送信部（Ｔｘ）１１２、光受信部（Ｒｘ）１１３を有して構成される。
【００２６】
光送信部（Ｔｘ）１１２は、電気信号を光信号に変換する電気光変換部（図示せず）を有し、送信信号を電気光変換部によって光信号に変換し、この光信号を配下のＯＮＵ２００に向けて送信する処理を行う。
【００２７】
光受信部（Ｒｘ）１１３は、光信号を電気信号に変換する光電気変換部（図示せず）を有し、ＷＤＭ１１２を介して受信したＯＮＵ２００からの光信号を光電気変換部によって電気信号に変換するものである。光受信部２１３の光電気変換部は、例えば、フォトダイオード、アバランシェフォトダイオード等を適用することができる。
【００２８】
光変調伝送部（ＷＤＭ）１１１は、光送信部１１２からの送信された光信号（例えば波長λＯＬＴ）を波長分割多重方式で多重して送信するものである。また、光変調伝送部（ＷＤＭ）１１１は、光ファイバを介して入力された光信号を波長分離して光受信部１１３に与えるものである。
【００２９】
なお、この実施形態において、複数のＯＬＴ  ＩＦ（０）１１０−１〜１１０−Ｎが送信する光信号の波長をλＯＬＴとして説明する。例えば、ＯＬＴ１００からＯＮＵ２００に向けた下り方向の光信号の波長λＯＬＴは、１．４８〜１．５０μｍとすることができる。
【００３０】
また、例えば、運用系のＯＬＴ  ＩＦ（０）１１０−１〜１１０−Ｎは、自身の故障を検出する故障検出部（図示しない）を備えるようにしてもよい。また例えば、ＯＬＴ１００が、各ＯＬＴ  ＩＦ（０）１１０−１〜１１０−Ｎの動作を監視して、ＯＬＴ  ＩＦ（０）１１０−１〜１１０−Ｎの故障を検出する故障検出部（図示しない）を備えるようにしてもよい。
【００３１】
上記故障検出部は、例えば、各ＯＬＴ  ＩＦ（０）１１０−１〜１１０−Ｎの光送信部１１２や光受信部１１３や光波長合分波部１１１等の異常を検出すると、検出結果を切替制御部１３０へ通知する。
【００３２】
切替制御部１３０は、運用系のＯＬＴ  ＩＦ（０）１１０−１〜１１０−Ｎに異常が発生したときに、その異常が生じたＯＬＴ  ＩＦ（０）からの光出力を停止し、異常が生じたＯＬＴ  ＩＦ（０）を、予備系のＯＬＴ  ＩＦ（１）１２０に切り替えるものである。
【００３３】
例えば、切替制御部１３０は、異常が生じたＯＬＴ  ＩＦ（０）を特定する情報（例えば、ＯＬＴ  ＩＦ（０）識別情報等）を予備系のＯＬＴ  ＩＦ（１）１２０に通知し、どのＯＬＴ  ＩＦ（０）が故障したかを知らせる。これにより、予備系のＯＬＴ  ＩＦ（１）１２０は、異常が生じたＯＬＴ  ＩＦ（０）を認識することができる。
【００３４】
予備系のＯＬＴ  ＩＦ（１）１２０は、切替制御部１３０からＯＬＴ  ＩＦ（０）に異常が生じた旨の通知を受けると、その異常が生じたＯＬＴ  ＩＦ（０）に代わって、そのＯＬＴ  ＩＦ（０）が通信しているＯＮＵ２００との間で光通信を行うものである。
【００３５】
予備系のＯＬＴ  ＩＦ（１）１２０は、Ｎ個の光加入者線ポートを有し、各光加入者線ポートは、ＰＯＮ＃１〜ＰＯＮ＃Ｎの光カプラ（２：Ｍ分岐スプリッタ）３００の第２ポート側の単芯光ファイバに接続される。
【００３６】
図３は、ＯＬＴ  ＩＦ（１）１２０の内部構成を示す内部構成図である。図３に示すように、予備系のＯＬＴ  ＩＦ（１）１２０は、ＰＯＮ終端電気回路部１２１、可変波長Ｅ／Ｏ変換部１２２、光合分波器１２３、Ｏ／Ｅ変換器１２４を有して構成される。
【００３７】
ＰＯＮ終端電気回路部１２１は、送信電気信号を可変波長Ｅ／Ｏ変換器１２２に与えたり、又はＯ／Ｅ変換器１２４により変換された受信電気信号を取得したりするものである。
【００３８】
ＰＯＮ終端電気回路部１２１は、切替制御部１３０からの通知を受けて、異常が発生したＯＬＴ  ＩＦ（０）の電気回路部として機能するものである。これにより、異常が発生したＯＬＴ  ＩＦ（０）に代わって、ＯＮＵ２００との間の通信を継続することができる。
【００３９】
可変波長Ｅ／Ｏ変換器１２２は、ＰＯＮ終端電気回路部１２１から送信電気信号を受け取り、送信電気信号を所定波長に変調して得た光信号を光合分波器１２３に与えるものである。
【００４０】
ここで、可変波長Ｅ／Ｏ変換器１２２が変換する光信号の波長は、複数の波長λＤ１、λＤ２、…、λＤＮのいずれか１波長とすることができる。
【００４１】
この複数の波長λＤ１、λＤ２、…、λＤＮは、例えば、ＰＯＮ＃１〜ＰＯＮ＃Ｎ毎（すなわち、運用系のＯＬＴ  ＩＦ（０）１１０−１〜１１０−Ｎ毎に割り当てられており、ＯＬＴ  ＩＦ（０）１１０−１〜１１０−Ｎに異常が生じたときに、そのＯＬＴ  ＩＦ（０）に対応する波長を用いるようにしてもよい。
【００４２】
また例えば、可変波長Ｅ／Ｏ変換部１２２は、複数の波長λＤ１、λＤ２、…、λＤＮからランダムに選択した波長を用いるようにしてもよい。
【００４３】
いずれにしても、この実施形態では、説明を容易にするために、ＰＯＮ＃１には波長λＤ１、ＰＯＮ＃２には波長λＤ２、…ＰＯＮ＃Ｎには波長λＤＮを使用するものとして説明する。
【００４４】
光合分波器１２３は、可変波長Ｅ／Ｏ変換器１２２から光信号を受け取り、光信号を分波し、送信波長の光信号を光加入者線ポートに出力するものである。
【００４５】
例えば、ＯＬＴ  ＩＦ（０）１１０−１が故障した場合、光合分波器１２３は波長λＤ１をＰＯＮ＃１の光加入者線ポートに出力し、ＯＬＴ  ＩＦ（０）１１０−２が故障した場合、光合分波器１２３は波長λＤ２をＰＯＮ＃２の光加入者線ポートに出力するなどとする。
【００４６】
ここで、光合分波器１２３は、可変波長Ｅ／Ｏ変換器１２２からの光信号を、例えば、フィルタやプリズム等により波長を分波し、それぞれの波長を対応する光加入者線ポートに向けて出力することで実現できる。
【００４７】
また、光合分波器１２３は、各光加入者線ポートから入力された光信号を、Ｏ／Ｅ変換器１２４に与えるものである。
【００４８】
ここで、後述するＯＮＵ２００は、予備系のＯＬＴ  ＩＦ（１）１２０から波長λＤ１、λＤ２、…、λＤＮのいずれかの光信号を入力すると、特定波長（この実施形態では、λＵ１、λＵ２、…、λＵＮ）の光信号を出力する。これらの波長の光信号は、各光加入者線ポートを介して、光合分波器１２３に入力される。
【００４９】
光合分波器１２３において、いずれの光加入者線ポートから波長λＯＮＵの光信号が入力されても、他の光加入者線ポートに光信号が出力されない。
【００５０】
例えば、光合分波器１２３は、ＯＮＵ２００が使用する波長λＯＮＵをカットするフィルタ等を備えることで、通常時に使用する波長λＯＮＵの光信号をカットすることができる。
【００５１】
Ｏ／Ｅ変換部１２４は、光合分波器１２３から入力された光信号を電気信号に変換し、受信電気信号をＰＯＮ終端電気回路部１２１に与えるものである。
【００５２】
ＯＮＵ２００は、例えば加入者宅に設置される加入者側終端装置である。ＯＮＵ２００は、光アクセス網としてのＰＯＮ＃１〜ＰＯＮ＃Ｎを介してＯＬＴ１００との間の光通信を行うものである。
【００５３】
ＰＯＮ＃１〜ＰＯＮ＃Ｎに接続するＯＮＵ２００はそれぞれ、同一又は対応する構成を備え、図１に示すように、光波長合分波部（ＷＤＭ）２０１、光送信部（Ｔｘ）２０２、光受信部（Ｒｘ）２０３を有する。
【００５４】
光送信部（Ｔｘ）２０２は、電気信号を光信号に変換する電気光変換部（図示せず）を有し、送信信号を電気光変換部によって光信号に変換し、この光信号をＯＬＴ１００に向けて送信する。
【００５５】
光受信部（Ｒｘ）２０３は、光信号を電気信号に変換する光電気変換部（図示せず）を有し、ＷＤＭ２０１を介して受信した光信号を光電気変換部によって電気信号に変換するものである。光受信部２０３の光電気変換部は、例えば、フォトダイオード（ＰＤ）、アバランシェフォトダイオード（ＡＰＤ）等を適用することができる。
【００５６】
光波長合分波部（ＷＤＭ）２０１は、光ファイバを介して入力された光信号を波長分離して光受信部２０３に与えるものである。
【００５７】
光波長合分波部（ＷＤＭ）２０１は、通常時は、光送信部２０２からの送信された光信号（例えば波長λｏｎｕ）を波長分割多重方式で多重して送信するものである。
【００５８】
また、光波長合分波部（ＷＤＭ）２０１は、自身が接続するＰＯＮ＃１〜ＰＯＮ＃の運用系のＯＬＴ  ＩＦ１１０−１〜１１０−Ｎに障害が発生した場合、すなわち、予備系のＯＬＴ  ＩＦ１２０から波長λＤ１〜λＤＮのいずれの波長の光信号を受信すると、特定波長の光信号を出力する。
【００５９】
ここで、障害発生時に光変調伝送部（ＷＤＭ）２０１が出力する波長は、予め決められているものであってもよいし、ＯＬＴ  ＩＦ（１）１２０側から指定された波長であってもよい。
【００６０】
いずれにしても、この実施形態では、説明を容易にするために、ＰＯＮ＃１のＯＮＵ２００は波長λＵ１の光信号を出力し、ＰＯＮ＃２のＯＮＵ２００は波長λＵ２の光信号を出力し、ＰＯＮ＃ＮのＯＮＵ２００は波長λＵＮの光信号するものとする。
【００６１】
（Ａ−２）実施形態の動作
次に、この実施形態の光通信システム１の冗長システムの処理の動作を説明する。
【００６２】
まず、通常時には、切替制御部１３０は、予備系のＯＬＴ  ＩＦ（１）１２０の光出力を停止させる。そして、運用系の複数のＯＬＴ  ＩＦ（０）１１０−１〜１１０−Ｎがそれぞれ、ＰＯＮ＃１〜ＰＯＮ＃ＮによりＯＮＵ２００との間で光通信を行う。
【００６３】
例えば、ＰＯＮ＃１に注目して説明すると、ＯＬＴ１００からＯＮＵ２００への下り方向は、ＯＬＴ  ＩＦ（０）１１０−１が波長λＯＬＴで光信号を光ファイバに出力する。
光信号が光カプラ３００に与えられると、光カプラ３００はＭ個のポートに光信号を出力する。これにより、光信号は、ＰＯＮ＃１の全てのＯＮＵ２００に与えられる。
【００６４】
また、ＯＮＵ２００からＯＬＴ１００への上り方向は、各ＯＮＵ２００がそれぞれ割り当てられた波長λＯＮＵで光信号を光ファイバに出力する。光カプラ３００は、各ＯＮＵ２００からの光信号を２個のポートに光信号を出力する。
【００６５】
つまり、光カプラ３００の光信号は、運用系のＯＬＴ  ＩＦ（０）１１０−１と接続するポートと、予備系のＯＬＴ  ＩＦ（１）１２０と接続するポートとから出力される。
【００６６】
しかし、このとき、予備系のＯＬＴ  ＩＦ（１）１２０において、光合分波器１２３は、波長λＯＮＵの光信号が入力されても、この波長λＯＮＵの光信号を出力しないようにする。
【００６７】
なお、他のＰＯＮ＃２〜ＰＯＮ＃Ｎについても、ＰＯＮ＃１の通信処理と同様の処理がなされる。
【００６８】
次に、運用系のＯＬＴ  ＩＦ（０）１１０−１〜１１０−Ｎのいずれに異常が生じると、切替制御部１３０は、異常が生じたＯＬＴ  ＩＦ（０）の光出力を停止する。
【００６９】
また、切替制御部１３０は、ＯＬＴ  ＩＦ（０）に異常が生じた旨を、予備系のＯＬＴ  ＩＦ（１）１２０に通知する。
【００７０】
例えば、ＯＬＴ  ＩＦ（０）１１０−１に異常が生じ、運用系のＯＬＴ  ＩＦ（０）１１０−１から予備系のＯＬＴ  ＩＦ（１）１２０に切り替える場合を説明する。
【００７１】
この場合、切替制御部１３０は、ＯＬＴ  ＩＦ（０）１１０−１の光出力を停止し、予備系のＯＬＴ  ＩＦ（１）１２０に対して、ＯＬＴ  ＩＦ（０）１１０−１が異常である旨を通知する。
【００７２】
予備系のＯＬＴ  ＩＦ（１）１２０において、ＰＯＮ終端電気回路部１２１は、異常が生じたＯＬＴ  ＩＦ（０）１１０−１の送信電気信号を取得し、その送信電気信号を可変波長Ｅ／Ｏ変換器１２２に与える。
【００７３】
可変波長Ｅ／Ｏ変換器１２２は、送信電気信号を波長Ｄ１の光信号に変換して光合分波器１２３に与える。
【００７４】
光合分波器１２３は、可変波長Ｅ／Ｏ変換器１２２からの光信号を分波する。そして、光合分波器１２３は、波長λＤ１の光信号をＰＯＮ＃１の光カプラ（２：Ｍ分岐スプリッタ）３００に接続する光加入者線ポートに出力する。
【００７５】
つまり、光合分波器１２３は、分波して得た波長λＤ１の光信号を、その波長λＤ１に対応する光加入者線ポートのみから出力し、他の光加入者線ポートから出力されない。
【００７６】
これにより、ＯＬＴ  ＩＦ（１）１２０から出力される波長λＤ１の光信号は、ＰＯＮ＃１の光カプラ（２：Ｍ分岐スプリッタ）３００のみに与えられ、他のＰＯＮ＃２〜＃Ｎには出力されない。
【００７７】
予備系のＯＬＴ  ＩＦ（１）１２０からの光信号は、ＰＯＮ＃１の光カプラ３００に与えられる。そして、光カプラ３００は、Ｍ個のポートから光信号を出力する。これにより、波長λＤ１の光信号は、ＰＯＮ＃１のＯＮＵ２００に与えられる。
【００７８】
また、ＰＯＮ＃１のＯＮＵ２００は、波長λＤ１の光信号が入力されると、ＯＮＵ２００が出力する波長を通常時の波長とは異なる波長λＵ１に切り替える。これにより、ＰＯＮ＃１のＯＮＵ２００は、ＯＬＴ１００に送信する送信電気信号を波長λＵ１の光信号に変換して出力する。
【００７９】
ＰＯＮ＃１の光カプラ３００は、各ＯＮＵ２００からの光信号を２個のポートに光信号を出力する。
【００８０】
つまり、光カプラ３００の光信号は、運用系のＯＬＴ  ＩＦ（０）１１０−１と接続するポートと、予備系のＯＬＴ  ＩＦ（１）１２０と接続するポートとから出力される。しかし、運用系のＯＬＴ  ＩＦ（０）１１０−１はインタフェースカードの取り替え等が行われるため、光信号は予備系のＯＬＴ  ＩＦ（１）１２０に与えられる。
【００８１】
また、予備系のＯＬＴ  ＩＦ（１）１２０が動作することで、他のＰＯＮ＃２〜ＰＯＮ＃Ｎから波長λＯＮＵの光信号も、予備系のＯＬＴ  ＩＦ（１）１２０に入力される。
【００８２】
しかし、予備系のＯＬＴ  ＩＦ（１）１２０において、光合分波器１２３は、他のＰＯＮ＃２〜ＰＯＮ＃Ｎの光加入者線ポートから入力される波長λＯＮＵの光信号についてはＯ／Ｅ変換器１２４に出力しない。
【００８３】
これにより、Ｏ／Ｅ変換器１２４には、波長λＵ１の光信号のみが入力される。Ｏ／Ｅ変換器１２４は、入力された光信号を電気信号に変換して、ＰＯＮ終端電気回路部１２１に与える。ＰＯＮ終端電気回路部１２１は、Ｏ／Ｅ変換器１２４から受信電気信号を受信して終端処理を行う。
【００８４】
上記では、ＯＬＴ  ＩＦ（０）１１０−１を切り替える場合を説明したが、ＯＬＴ  ＩＦ（０）１１０−１以外のＯＬＴ  ＩＦ１１０−２〜１１０−Ｎを切り替える場合も、予備系のＯＬＴ  ＩＦ（１）１２０及びＯＮＵ２００が使用する波長が異なるだけで、上記と同様の動作である。
【００８５】
例えば、ＯＬＴ  ＩＦ（０）１１０−ｎ（１≦ｎ≦Ｎ）が切り替わる場合、切替制御部１３０がＯＬＴ  ＩＦ（０）１１０−ｎの光出力を停止する。
【００８６】
そして、ＯＬＴ  ＩＦ（１）１２０は、波長λＤｎで光信号を送信し、この光信号は、ＰＯＮ＃ｎの光カプラ（２：Ｍ分岐スプリッタ）３００に『のみ』入力され、ＰＯＮ＃ｎのＯＮＵ２００に到達し、受信される。
【００８７】
ＰＯＮ＃ｎのＯＮＵ２００は、通常時とは異なる波長λＵｎで光信号を送信し、ＯＬＴ  ＩＦ（１）１２０が波長λＵｎの光信号を受信する。ＰＯＮ＃ｎ以外のＰＯＮに帰属するＯＮＵ２００の波長λＯＮＵの光信号もＯＬＴ  ＩＦ（１）１２０に到達する。しかし、光合分波器１２３は、波長ＯＮＵの光信号をカットし、波長ＯＮＵの光信号をＯ／Ｅ変換器１２４に出力しない。これにより、ＯＬＴ  ＩＦ（１）１２０は波長λＯＮＵの光信号を受信しない。
【００８８】
（Ａ−３）実施形態の効果
以上のように、この実施形態によれば、Ｎ：１  ＰＯＮにおける冗長システムでは、冗長を組むために、「Ｎ：Ｎ＋１光マトリックススイッチ」を追加する必要がなくなり、冗長なしの場合と比べたシステムコストの上昇度合いを小さくできるという効果が得られる。
【００８９】
（Ｂ）他の実施形態
上述した実施形態においても、種々の変形実施形態を説明したが、以下の他の実施形態についても本発明は適用することができる。
【００９０】
上述した実施形態では、通常時に予備系のＯＬＴ  ＩＦ（１）のＩＦ盤からの光出力を停止し、切替時に運用系のＯＬＴ  ＩＦ（０）のＩＦ盤からの光出力を停止する例を説明した。しかし、光出力を停止するだけでなく、ＯＬＴ  ＩＦ（０）又はＯＬＴ  ＩＦ（１）のＩＦ盤の送受信動作の全部を停止するようにしても、上述した実施形態と同様の効果を得ることができる。
【符号の説明】
【００９１】
１００…ＯＬＴ、２００…ＯＮＵ、３００…光カプラ（２：Ｍスプリッタ）、
１１０−１〜１１０−Ｎ…運用系のＯＬＴ  ＩＦ（０）、
１２０…予備系のＯＬＴ  ＩＦ（１）
１２１…ＰＯＮ終端電気回路部、１２２…可変長Ｅ／Ｏ変換器、
１２３…光合分波器、１２４…Ｏ／Ｅ変換器。
【図１】
0006418271.tif 000002
【図２】
0006418271.tif 000003
【図３】
0006418271.tif 000004